(57)【特許請求の範囲】
【請求項１】
電子部品が搭載される第１基板を収容する第１部材と、
その第１部材の背面に配設される排気手段と、
その排気手段から離れた位置で前記第１部材の背面側に前面側が対向配置される第２部材と、
その第２部材および前記第１部材の間に形成される間隙を塞ぐ遮蔽部と、
その遮蔽部に開口形成される１又は複数の排気口と、
前記遮蔽部、前記第１部材および前記第２部材により包囲された空間内に配設される複数のリブと、
それら複数のリブのそれぞれに開口形成される複数の通孔とを備え、
前記排気手段からの排気は、前記複数の通孔および前記排気口を通じて外部へ排出されるものであり、前記排気手段からの排気を前記排気口へ導く排気経路の全てが複数回屈曲した蛇行状に形成され、前記排気口と前記排気手段とを結ぶ方向から視て、前記複数の通孔のうちの少なくとも一の通孔が前記複数の通孔のうちの他の通孔と重ならない位置に形成されていることを特徴とする遊技機。
【発明の詳細な説明】
【技術分野】
【０００１】
本発明は、スロットマシン等に代表される遊技機に関するものである。
【背景技術】
【０００２】
従来、スロットマシン等の遊技機は複数の制御基板を備え、それら複数の制御基板により遊技の制御が行われている（例えば、特許文献１）。この種の遊技機では、例えば、液晶表示装置やランプ、スピーカが遊技機本体の前面に配設されるため、液晶表示装置の制御を行う液晶基板と、ランプやスピーカの制御を行うサブ基板とを遊技機本体の前面側に重ねて取り付けることで、電気配線の簡素化や遊技機本体内部のスペース確保が図られている。
【先行技術文献】
【特許文献】
【０００３】
【特許文献１】特開２００７−３１９３２９号公報
【発明の概要】
【発明が解決しようとする課題】
【０００４】
ところで、液晶表示装置の制御を行う液晶基板は、一般に発熱し易いため、液晶基板から発生する熱をファン等により排気することが望ましい。しかしながら、液晶基板にサブ基板を重ねて取り付ける場合には、液晶基板から発生する熱の排気経路を確保するべく液晶基板とサブ基板との間に隙間を設ける必要があるため、その隙間が死角となり、不当に大当たりを発生させる不正な基板を隠される隠し場所となる恐れがあるという問題点があった。
【０００５】
本発明は、上記例示した問題点等を解決するためになされたものであり、不正な基板が隠されるのを防いで、遊技機に対する不正行為を抑制することができる遊技機を提供することを目的としている。
【課題を解決するための手段および発明の効果】
【０００６】
請求項１記載の遊技機によれば、第１部材および前記第２部材の間隙を塞ぐ遮蔽部と、その第２部材および前記第１部材の間に形成される間隙を塞ぐ遮蔽部と、その遮蔽部に開口形成される１又は複数の排気口と、遮蔽部、第１部材および第２部材により包囲された空間内に配設される複数のリブと、それら複数のリブのそれぞれに開口形成される複数の通孔とを備え、排気手段からの排気は、複数の通孔および前記排気口を通じて外部へ排出されるので、排気手段からの排気経路を確保しつつ、第１部材と第２部材との間隙を塞ぐことができる。この場合、遮蔽部により第１部材と第２部材との間隙を塞ぐことで、第１部材と第２部材との間隙に不正な基板が隠されるのを防ぐことができる。
【０００７】
即ち、第１部材体と第２部材とを対向配置する場合には、排気手段からの排気経路を確保するために、第１部材と第２部材との間に隙間を設ける必要がある。しかしながら、各部材間に隙間を設けると、その隙間が死角となり、不当に大当たりを発生させる不正な基板を隠される隠し場所となる恐れがあった。
【０００８】
これに対し、第１部材と第２部材との間隙を塞ぐ遮蔽部を備えることで、排気手段からの排気経路を確保しつつも、第１部材と第２部材との間隙に不正な基板が隠されるのを防ぐことができる。これにより、遊技機に対する不正行為を抑制することができるという効果がある。
【０００９】
また、排気経路は、複数回屈曲した蛇行状に形成されると共に、排気口と排気手段とを結ぶ方向から視て複数の通孔のうちの少なくとも一の通孔が複数の通孔のうちの他の通孔と重ならない位置に形成されるので、排気経路に不正な基板を隠し難くできるという効果がある。また、排気経路が屈曲していることで、排気経路および排気手段を通じて第１部材の内部に針金などの線材が差し込まれるのを防ぐことができる。これにより、第１基板に対する不正行為（例えば、線材により第１基板の配線パターンを切断する等）を抑制することができるという効果がある。
【図面の簡単な説明】
【００１２】
【図１】本発明の一実施形態におけるスロットマシンの斜視図である。
【図２】前面扉を開いた状態のスロットマシンの斜視図である。
【図３】前面扉の背面図である。
【図４】筐体の正面図である。
【図５】液晶表示装置とサブ制御装置とを分離した状態の斜視図である。
【図６】サブ制御装置を分解した状態の背面斜視図である。
【図７】サブ制御装置の正面斜視図である。
【図８】スロットマシンの電気的構成を示すブロック図である。
【図９】通常処理を示すフローチャートである。
【図１０】第２実施形態におけるサブ制御装置の正面斜視図である。
【図１１】第３実施形態における液晶表示装置の背面斜視図である。
【図１２】第３実施形態におけるサブ制御装置の正面斜視図である。
【図１３】液晶表示装置とサブ制御装置とが対向配置された状態の遮蔽部の拡大斜視図である。
【図１４】第４実施形態における液晶表示装置の背面斜視図である。
【図１５】第４実施形態におけるサブ制御装置の正面斜視図である。
【図１６】（ａ）は、液晶表示装置とサブ制御装置とが対向配置された状態の遮蔽部の拡大斜視図であり、（ｂ）は、図１６（ａ）のＸ−Ｘ線における遮蔽部の断面図である。
【発明を実施するための形態】
【００１３】
以下、本発明の実施形態について、添付図面を参照して説明する。以下では、本発明を遊技機の一種である回胴式遊技機、具体的にはスロットマシン１０に適用した場合の一実施形態について説明する。図１は、スロットマシン１０の斜視図であり、図２は、前面扉１２を開いた状態のスロットマシン１０の斜視図であり、図３は、前面扉１２の背面図であり、図４は、筐体１１の正面図である。
【００１４】
図１から図４に示すように、スロットマシン１０は、その外殻を形成する筐体１１を備えている。筐体１１は、木製のパネルを組み合わせて、全体として前面を開放した箱状に形成されており、遊技ホールへの設置の際にいわゆる島設備に対し釘を打ち付ける等して取り付けられる。尚、筐体１１は木製のパネルによって構成する以外に、合成樹脂製パネル又は金属製パネルによって構成してもよいし、合成樹脂材料又は金属材料によって一体の箱状に形成することによって構成してもよい。筺体１１の上面には、筺体１１の内部から外部に通じる開口１１ａが貫通形成されている。
【００１５】
筐体１１の前面側には、前面扉１２が開閉可能に取り付けられている。すなわち、筐体１１には、その正面から見て左側部に上下一対の支軸１３ａ，１３ｂが設けられており、前面扉１２には、各支軸１３ａ，１３ｂと対応する位置に軸受部１４ａ，１４ｂが設けられている。そして、各軸受部１４ａ，１４ｂに各支軸１３ａ，１３ｂが挿入された状態では、前面扉１２が筐体１１に対して両支軸１３ａ，１３ｂを結ぶ上下方向へ延びる開閉軸線を中心として回動可能に支持され、前面扉１２の回動によって筐体１１の前面開放側を開放したり閉鎖したりすることができるようになっている。
【００１６】
また、前面扉１２の開閉軸の反対側には、その背面に施錠装置２０が設けられ、前面扉１２は、その施錠装置２０によって開放不能な施錠状態とされる。前面扉１２の右端側上部には、施錠装置２０と一体化されたキーシリンダ２１が設けられており、キーシリンダ２１に対する所定のキー操作によって前記施錠状態が解除されるように構成されている。キーシリンダ２０が設けられる位置は前面扉１２の中でも肉厚の薄い上部位置とされており、その結果、全長の短い汎用性のあるキーシリンダ２１を採用することができる。なお、本実施形態では、キーシリンダ２１として、不正解錠防止機能の高いオムロック（登録商標）が用いられている。
【００１７】
前面扉１２の中央部上寄りには、遊技に関する情報を表示したり遊技の興趣を高めるための演出を行う遊技パネル２５が設けられている。遊技パネル２５は、合成樹脂材料からパネル状に形成されている。遊技パネル２５の中央部には、縦長の３つの表示窓２６Ｌ，２６Ｍ，２６Ｒが横並びに設けられている。各表示窓２６Ｌ，２６Ｍ，２６Ｒは透明に構成されており、各表示窓２６Ｌ，２６Ｍ，２６Ｒを通じてスロットマシン１０の内部が視認可能となっている。但し、各表示窓２６Ｌ，２６Ｍ，２６Ｒを１つにまとめて共通の表示窓としても良い。
【００１８】
図２に示すように、筐体１１は仕切り板３０によりその内部が上下２分割されており、仕切り板３０の上部には、可変表示手段を構成するリールユニット３１が取り付けられている。リールユニット３１は、円筒状（円環状）にそれぞれ形成された左リール３２Ｌ，中リール３２Ｍ，右リール３２Ｒを備えている。各リール３２Ｌ，３２Ｍ，３２Ｒは、その中心軸線が当該リールの回転軸線となるように回転可能に支持されている。各リール３２Ｌ，３２Ｍ，３２Ｒの回転軸線は略水平方向に延びる同一軸線上に配設され、それぞれのリール３２Ｌ，３２Ｍ，３２Ｒが各表示窓２６Ｌ，２６Ｍ，２６Ｒと１対１で対応している。したがって、各リール３２Ｌ，３２Ｍ，３２Ｒの表面の一部はそれぞれ対応する表示窓２６Ｌ，２６Ｍ，２６Ｒを通じて視認可能な状態となっている。また、リール３２Ｌ，３２Ｍ，３２Ｒが正回転すると、各表示窓２６Ｌ，２６Ｍ，２６Ｒを通じてリール３２Ｌ，３２Ｍ，３２Ｒの表面は上から下へ向かって移動しているかのように映し出される。
【００１９】
ここで、リールユニット３１の構成を簡単に説明する。各リール３２Ｌ，３２Ｍ，３２Ｒは、それぞれがステッピングモータに連結されており、各ステッピングモータの駆動により各リール３２Ｌ，３２Ｍ，３２Ｒが個別に、すなわちそれぞれ独立して回転駆動し得る構成となっている。ステッピングモータは、例えば５０４パルスの駆動信号（以下、励磁パルスとも言う）を与えることにより１回転されるように設定されており、この励磁パルスによってステッピングモータの回転位置、すなわちリールの回転位置が制御される。また、リールユニット３１には、リールが１回転したことを検出するためのリールインデックスセンサが各リール３２Ｌ，３２Ｍ，３２Ｒに設置されている。そして、リールインデックスセンサからは、リールが１回転したことを検出した場合、その検出の都度、後述する主制御装置１０１に検出信号が出力されるようになっている。このため主制御装置１０１は、リールインデックスセンサの検出信号と、当該検出信号が入力されるまでに出力した励磁パルス数とに基づいて、各リール３２Ｌ，３２Ｍ，３２Ｒの角度位置を１回転毎に確認するとともに補正することができる。
【００２０】
各リール３２Ｌ，３２Ｍ，３２Ｒの外周面には、その長辺方向（周回方向）に、識別情報としての図柄が複数個、具体的には、各リール３２Ｌ，３２Ｍ，３２Ｒ毎に、２１個の図柄が等間隔に描かれており、そのうち連続する３個の図柄が表示窓２６Ｌ，２６Ｍ，２６Ｒの上段、中段、下段の位置にそれぞれ視認可能に構成されている。このため、所定の位置においてある図柄を次の図柄へ切り替えるには、２４パルス（＝５０４パルス÷２１図柄）の励磁パルスの出力を要する。また、主制御装置１０１は、リールインデックスセンサの検出信号が入力されてから出力した励磁パルス数により、表示窓２６Ｌ，２６Ｍ，２６Ｒから視認可能な状態となっている図柄を把握したり、表示窓２６Ｌ，２６Ｍ，２６Ｒから視認可能な位置に所定の図柄を停止させたりする制御を行うことができる。
【００２１】
遊技パネル２５の下方左側には、各リール３２Ｌ，３２Ｍ，３２Ｒの回転を開始させるために操作されるスタートレバー４１が設けられている。スタートレバー４１は、遊技者が遊技（ゲーム）を開始するときに手で押し操作（押される方向は限定されない）するレバーであり、所定数のメダルが投入されている状態でスタートレバー４１が操作されると、各リール３２Ｌ，３２Ｍ，３２Ｒの回転が一斉に（但し、同時である必要はない）開始されるようになっている。
【００２２】
スタートレバー４１の右側には、回転している各リール３２Ｌ，３２Ｍ，３２Ｒを個別に停止させるために操作されるボタン状のストップスイッチ４２〜４４が設けられている。各ストップスイッチ４２〜４４は、停止対象となるリール３２Ｌ，３２Ｍ，３２Ｒに対応する表示窓２６Ｌ，２６Ｍ，２６Ｒの直下にそれぞれ配置されている。すなわち、左ストップスイッチ４２が操作された場合には左リール３２Ｌの回転が停止し、中ストップスイッチ４３が操作された場合には中リール３２Ｍの回転が停止し、右ストップスイッチ４４が操作された場合には右リール３２Ｒの回転が停止する。
【００２３】
遊技パネル２５の下方右側には、メダルを投入するためのメダル投入口４５が設けられている。メダル投入口４５から投入されたメダルは、前面扉１２の背面に設けられたセレクタ４６によって取込用通路４７か排出用通路４８のいずれかへ導かれる。そして、取込用通路４７に導かれたメダルは、筺体１の内部に収容されたホッパ装置５１へと導かれる。一方、排出用通路４８に導かれたメダルは、前面扉１２の前面下部に設けられたメダル排出口４９からメダル受け皿５０へと導かれ、遊技者に返還される。
【００２４】
ホッパ装置５１は、メダルを貯留する貯留タンク５２と、メダルを遊技者に払い出す払出装置５３とにより構成されている。払出装置５３は、図示しないメダル払出用回転板を回転させることにより、排出用通路４８に設けられた開口４８ａへメダルを排出し、排出用通路４８を介してメダル受け皿５０へメダルを払い出すようになっている。また、ホッパ装置５１の右方には、貯留タンク５２内に所定量以上のメダルが貯留されることを回避するための予備タンク５４が設けられている。ホッパ装置５１の貯留タンク５２内部には、この貯留タンク５２から予備タンク５４へとメダルを排出する誘導プレート５２ａが設けられている。したがって、誘導プレート５２ａが設けられた高さ以上にメダルが貯留された場合、かかるメダルが予備タンク５４に貯留されることとなる。
【００２５】
メダル投入口４５の下方には、ボタン状の返却スイッチ５５が設けられている。メダル投入口４５に投入されたメダルがセレクタ４６内に詰まった状況下で返却スイッチ５５が操作された場合、セレクタ４６が機械的に連動して動作され、当該セレクタ４６内に詰まったメダルがメダル排出口４９から返却されるようになっている。
【００２６】
遊技パネル２５の下方左側には、遊技媒体としてのクレジットされた仮想メダルを一度に３枚投入するための第１クレジット投入スイッチ５６が設けられている。また、第１クレジット投入スイッチ５６の左方には、第２クレジット投入スイッチ５７と、第３クレジット投入スイッチ５８とが設けられている。第２クレジット投入スイッチ５７は仮想メダルを一度に２枚投入するためのものであり、第３クレジット投入スイッチ５８は仮想メダルを１枚投入するためのものである。
【００２７】
スタートレバー４１の左方には、精算スイッチ５９が設けられている。本スロットマシン１０では、所定の最大値（メダル５０枚分）となるまでの余剰の投入メダルや入賞時の払出メダルを仮想メダルとして貯留記憶するクレジット機能を有しており、仮想メダルが貯留記憶されている状況下で精算スイッチ５９が操作された場合、仮想メダルが現実のメダルとしてメダル排出口４９から払い出されるようになっている。
【００２８】
遊技パネル２５に設けられた表示窓２６Ｌ，２６Ｍ，２６Ｒの下方には、クレジットされている仮想メダル数を表示するクレジット表示部６０と、ボーナス状態が終了するまでに払い出される残りのメダル数を表示する残払出枚数表示部６１と、入賞時に払い出したメダルの枚数を表示する払出枚数表示部６２とがそれぞれ設けられている。これら表示部６０〜６２は７セグメント表示器によって構成されているが、液晶表示器等によって代替することは当然可能である。
【００２９】
前面扉１２の上部には、遊技の進行に伴い点灯したり点滅したりする上部ランプ６３と、遊技の進行に伴い種々の効果音を鳴らしたり、遊技者に遊技状態を報知したりする左右一対のスピーカ６４と、遊技者に各種情報を与える液晶表示装置２００とが設けられている。液晶表示装置２００は、遊技の進行に伴って各種表示演出を実行したり、電源投入時やエラー発生時にその状態を報知するためのものであり、映像を表示する液晶ディスプレイ２０１を備えて構成されている。
【００３０】
また、液晶表示装置２００の背面には、上部ランプ６３やスピーカ６４の制御を行うサブ制御装置３００が設けられている。これら液晶表示装置２００及びサブ制御装置３００は、前面扉１２に重ねて取り付けられている。なお、液晶表示装置２００及びサブ制御装置３００の詳細については、図５から図７を参照して後述する。
【００３１】
メダル受け皿５０の上方には、機種名や遊技に関わるキャラクタなどが表示された下段プレート６６が装着されている。また、メダル受け皿５０の左方には、手前側下方に反転可能な灰皿６９が設けられている。
【００３２】
筐体１１の内部においてホッパ装置５１の左方には、電源ボックス７０が設けられている。電源ボックス７０は、その内部に電源装置９１（図８参照）を収容するとともに、電源スイッチ７１やリセットスイッチ７２、設定キー挿入孔７３などを備えている。電源スイッチ７１は、後述する主制御装置１０１を始めとする各部に電源を供給するための起動スイッチである。
【００３３】
リセットスイッチ７２は、スロットマシン１０の各種状態をリセットするためのスイッチである。本スロットマシン１０は各種データのバックアップ機能を有しており、万一停電が発生した際でも停電時の状態を保持し、停電からの復帰（復電）の際には停電時の状態に復帰できるようになっている。従って、例えば遊技ホールの営業が終了する場合のように通常手順で電源を遮断すると遮断前の状態が記憶保持されるが、リセットスイッチ７２を押しながら電源スイッチ７１をオンすると、バックアップデータがリセット（初期化）されるようになっている。また、電源スイッチ７１がオンされている状態でリセットスイッチ７２を押した場合には、エラー状態がリセットされる。
【００３４】
設定キー挿入孔７３は、ホール管理者などがメダルの出玉調整を行うためのものである。すなわち、ホール管理者等が設定キーを設定キー挿入孔７３へ挿入して回転操作することにより、スロットマシン１０の設定状態（各入賞態様の当選確率の設定）を「設定１」から「設定６」まで変更できるようになっている。そして、設定状態が「設定１」に設定された場合、メダル払出枚数の期待値が最も低くなるように入賞態様（役）の抽選を行い、設定状態が「設定６」に設定された場合、メダル払出枚数の期待値が最も高くなるように入賞態様の抽選を行うように構成されている。なお、リセットスイッチ７２は、エラー状態をリセットする場合の他に、スロットマシン１０の設定状態を変更する場合にも操作される。
【００３５】
リールユニット３１の上方には、遊技を統括管理する主制御装置１０１が筐体１１に取り付けられている。詳細については図８を参照して後述するが、主制御装置１０１は、スロットマシン１０の主たる制御を司るＭＰＵ（Ｍｉｃｒｏ  Ｐｒｏｃｅｓｓｉｎｇ  Ｕｎｉｔ）１０２が搭載される主基板（図示せず）を備え、その主基板が透明樹脂材料等よりなる基板ケースに収容されて構成されている。
【００３６】
次に、図５から図７を参照して、前面扉１２に取り付けられる液晶表示装置２００及びサブ制御装置３００について説明する。図５は、液晶表示装置２００とサブ制御装置３００とを分離した状態の斜視図であり、図６は、サブ制御装置３００を分解した状態の背面斜視図であり、図７は、サブ制御装置３００の正面斜視図である。なお、図５から図７において、矢印Ｆ−Ｂ，Ｌ−Ｒ，Ｕ−Ｄは、液晶表示装置２００及びサブ制御装置３００の前後方向，左右方向，上下方向をそれぞれ示している。
【００３７】
図５に示すように、液晶表示装置２００は、液晶ケース２１０により外郭が形成され、その液晶ケース２１０に液晶ディスプレイ２０１（図１参照）及び液晶基板２０２（図８参照）が収容されて構成されている。液晶基板２０２には、映像出力全般の制御を担うＶＤＰ（Ｖｉｄｅｏ  Ｄｉｓｐｌａｙ  Ｐｒｏｃｅｓｓｏｒ）２０２ａや各種メモリ等の電子部品が搭載されている（図８参照）。なお、ＶＤＰ２０２ａは、他の電子部品との間で電気的接続を行うためのパターンを四方に配線するため、液晶基板２０２の略中央領域に配置されている。
【００３８】
液晶表示装置２００の背面には、液晶ディスプレイ２０１や液晶基板２０２から発生する熱を排気するためのファン２０３が設けられている。なお、上述したように、ＶＤＰ２０２ａは、映像出力全般の制御を担うメインプロセッサであるため、他の電子部品と比較して熱を発生し易い。よって、ファン２０３は、熱を最も発生するＶＤＰ２０２ａの付近に配置することが好ましい。
【００３９】
図６に示すように、サブ制御装置３００は、基板ケース３１０により外郭が形成され、その基板ケース３１０にサブ基板３０１が収容されて構成されている。このサブ制御装置３００は、前面扉１２に取り付けられた状態では、液晶表示装置２００の背面に重ねて配置される、即ち、液晶表示装置２００に対向配置される（図５参照）。
【００４０】
サブ基板３０１には、上部ランプ６３やスピーカ６４の主たる制御を担うＭＰＵ（Ｍｉｃｒｏ  Ｐｒｏｃｅｓｓｉｎｇ  Ｕｎｉｔ）３０１ａや各種メモリ等の電子部品の他に、外部との電気的接続を行うためのコネクタ３０１ｂが搭載されている。このサブ基板３０１は、電子部品の搭載面がサブ制御装置３００の背面側を向くように基板ケース３１０に収容されている。また、ＭＰＵ３０１ａは、液晶表示装置２００とサブ制御装置３００とが対向配置された状態において、ファン２０３から離れた位置に配置されている。これにより、ファン２０３からの高温の排気がＭＰＵ３０１ａに及ぼす悪影響を防いで、ＭＰＵ３０１ａの誤作動を防止することができる。
【００４１】
基板ケース３１０は、その前面側を形成するベース部材３１１と、背面側を形成するカバー部材３１２とにより構成されている。なお、ベース部材３１１には、サブ制御装置３００を前面扉１２に取り付けるための取付フランジ３１１ａが形成されている。また、カバー部材３１２には、サブ基板３０１に搭載されるコネクタ３０１ｂを外部に露出させるためのコネクタ口３１２ａが開口形成されている。
【００４２】
図７に示すように、基板ケース３１０の前面には、液晶表示装置２００とサブ制御装置３００とが対向配置された状態において、液晶ケース２１０と基板ケース３１０との間に隙間が生じないよう、液晶ケース２１０と基板ケース３１０との間隙を塞ぐ遮蔽部４００が設けられている。
【００４３】
遮蔽部４００は、基板ケース３１０の前面から液晶ケース２１０側へ向けて突設されるリブ３１０ａにより形成され、基板ケース３１０と一体に形成されている。これにより、遮蔽部４００を新たな部材として別途設ける必要がなく、部品点数の増加を抑制することができる。また、基板ケース３１０に突設されるリブ３１０ａにより遮蔽部４００を形成することで、基板ケース３１０の剛性を高めることができる。
【００４４】
遮蔽部４００には、液晶表示装置２００に設けられるファン２０３（図５参照）からの排気を導くための排気経路４０１が３つ形成されている。これにより、ファン２０３からの排気経路を確保しつつ、液晶ケース２１０と基板ケース３１０との間隙を塞ぐことができる。
【００４５】
排気経路４０１は、基板ケース３１０の正面視において（液晶ケース２１０と基板ケース３１０とが対向する方向から見て）左右（矢印Ｌ−Ｒ方向）に蛇行して形成され、複数回屈曲して遮蔽部４００の外部へ至るようになっている。
【００４６】
また、排気経路４０１は、遮蔽部４００の外部に通じる出口となる排気口４０１ａが上方へ向けて開口形成されている。これにより、温度が高くなるほど軽くなる気体の性質を利用して、ファン２０３からの高温の排気を効率良く遮蔽部４００の外部へ排出することができる。
【００４７】
更に、排気経路４０１の排気口４０１ａは、サブ制御装置３００が前面扉１２に取り付けられた状態において、筺体１１に設けられる開口１１ａ（図１及び図２参照）に臨むようになっている。即ち、筺体１１の開口１１ａは、排気経路４０１の排気口４０１ａに臨む位置に設けられている。これにより、ファン２０３からの排気を効率良くスロットマシン１０の外部へ排出することができる。
【００４８】
遮蔽部４００を形成するリブ３１０ａは、排気経路４０１を除いて格子状に形成され、その格子間に多数の空洞が設けられるようになっている。これにより、ファン２０３からの排気の熱エネルギーを空洞内の空気に伝達し、熱エネルギーを拡散することで、遮蔽部４００の温度上昇を抑制することができる。その結果、遮蔽部４００の温度上昇が液晶基板２０２及びサブ基板３０１に及ぼす悪影響を防いで、液晶基板２０２及びサブ基板３０１の誤作動を防止することができる。
【００４９】
また、サブ基板３０１に搭載されるＭＰＵ３０１ａは、液晶表示装置２００とサブ制御装置３００とが対向配置された状態において、ファン２０３から離れた位置に配置され、ファン２０３からＭＰＵ３０１ａに至るまでの範囲に格子状のリブ３１０ａが複数設けられるようになっているので、ファン２０３からの排気の熱エネルギーをＭＰＵ３０１ａに伝わり難くして、ＭＰＵ３０１ａの誤作動を防止することができる。
【００５０】
このように、基板ケース３１０には、排気経路４０１を除いて液晶ケース２１０と基板ケース３１０との間隙を塞ぐ遮蔽部４００が設けられているので、液晶ケース２１０と基板ケース３１０との間隙に不正な基板が隠されるのを防ぐことができる。
【００５１】
即ち、液晶表示装置２００とサブ制御装置３００とを対向配置する場合には、ファン２０３からの排気経路を確保するために、液晶ケース２１０と基板ケース３１０との間に隙間を設ける必要がある。しかしながら、各ケース２１０，３１０の間に隙間を設けると、その隙間が死角となり、不当に大当たりを発生させる不正な基板を隠される隠し場所となる恐れがあった。
【００５２】
これに対し、排気経路４０１を除いて液晶ケース２１０と基板ケース３１０との間隙を塞ぐ遮蔽部４００を設けることで、ファン２０３からの排気経路を確保しつつも、液晶ケース２１０と基板ケース３１０との間隙に不正な基板が隠されるのを防ぐことができる。これにより、スロットマシン１０に対する不正行為を抑制することができる。
【００５３】
また、遮蔽部４００に形成される排気経路４０１は、屈曲して遮蔽部４００の外部へ至るように形成されているので、排気経路４０１に不正な基板を隠し難くできる。また、排気経路４０１が屈曲していることで、排気経路４０１及びファン２０３を通じて液晶ケース２１０の内部に針金などの線材が差し込みまれるのを防ぐことができる。
【００５４】
また、排気経路４０１は、遮蔽部４００に複数（本実施形態では３つ）形成されているので、ファン２０３からの排気を導くために確保すべき排気経路４０１の断面積を、複数の排気経路４０１により分担して確保することができる。これにより、各排気経路４０１の断面積を小さくすることができるので、例え不正な基板が柔軟性のあるフレキシブルプリント基板により製作されたとしても、排気経路４０１に隠し難くできる。
【００５５】
また、サブ基板３０１は、電子部品の搭載面がサブ制御装置３００の背面側を向くように基板ケース３１０に収容される、即ち、電子部品が搭載される搭載面の反対面が遮蔽部４００側を向くように基板ケース３１０に収容されているので、電子部品の搭載面が遮蔽部４００に覆われず、基板ケース３１０の外部から電子部品の搭載面を視認可能とすることができる。これにより、サブ基板３０１に対する不正行為（例えば、不当に大当たりを発生させる不正なＲＯＭを電子部品の搭載面に取り付ける等）を抑制できると共に、その不正を見落とすことなく早期に発見することができる。
【００５６】
次に、スロットマシン１０の電気的構成について、図８を参照して説明する。図８は、スロットマシン１０の電気的構成を示すブロック図である。
【００５７】
主制御装置１０１は、上述したように、スロットマシン１０の遊技を統括管理するものであり、スロットマシン１０の主たる制御を司るＭＰＵ１０２を中心とするマイクロコンピュータが搭載される主基板（図示せず）を備えている。ＭＰＵ１０２には、電源装置９１の他に、時間計数や同期を図る場合などに使用されるクロック回路１０３や、各種機器との連絡をとる入出力ポート１０４等が内部バスを介して接続されている。
【００５８】
主制御装置１０１の入力側には、リールユニット３１（各リール３２Ｌ，３２Ｍ，３２Ｒが１回転したことを個別に検出するリールインデックスセンサ）、スタートレバー４１の操作を検出するスタート検出センサ４１ａ、各ストップスイッチ４２〜４４の操作を個別に検出するストップ検出センサ４２ａ〜４４ａ、ホッパ装置５１から払い出されるメダルを検出する払出検出センサ５１ａ、各クレジット投入スイッチ５６〜５８の操作を個別に検出するクレジット投入検出センサ５６ａ〜５８ａ、精算スイッチ５９の操作を検出する精算検出センサ５９ａ、リセットスイッチ７２の操作を検出するリセット検出センサ７２ａ、設定キー挿入孔７３に設定キーが挿入されたことを検出する設定キー検出センサ７３ａ等の各種センサが接続されており、これら各種センサからの信号は入出力ポート１０４を介してＭＰＵ１０２に出力されるように構成されている。
【００５９】
また、主制御装置１０１の入力側には、入出力ポート１０４を介して電源装置９１が接続されている。電源装置９１には、主制御装置１０１を始めとするスロットマシン１０の各種電子機器に駆動電力を供給する電源部９１ａや停電監視回路９１ｂ等が搭載されている。
【００６０】
停電監視回路９１ｂは、電源の遮断状態を監視し、停電時はもとより、電源スイッチ７１による電源遮断時に停電信号を生成するためのものである。このため、停電監視回路９１ｂは、電源部９１ａから出力される例えば直流１２ボルトの安定化駆動電圧を監視し、この駆動電圧が例えば１０ボルト未満まで低下した場合に電源が遮断されたものと判断して、停電信号が出力されるように構成されている。停電信号はＭＰＵ１０２及び入出力ポート１０４のそれぞれに供給され、ＭＰＵ１０２では、この停電信号を認識することにより停電時処理が実行される。また、この停電信号は、液晶表示装置２００やサブ制御装置３００にも供給されるように構成されている。
【００６１】
電源部９１ａは、出力電圧が例えば１０ボルト未満まで低下した場合でも、主制御装置１０１等の制御系において駆動電圧として使用される例えば５ボルトの安定化電圧が出力されるように構成されている。この安定化電圧が出力される時間としては、主制御装置１０１による停電時処理を実行するに十分な時間が確保されている。
【００６２】
主制御装置１０１の出力側には、リールユニット３１（各リール３２Ｌ，３２Ｍ，３２Ｒを回転させるためのステッピングモータ）、セレクタ４６に設けられたメダル通路切替ソレノイド４６ａ、ホッパ装置５１、クレジット表示部６０、残払出枚数表示部６１、払出枚数表示部６２、液晶表示装置２００、サブ制御装置３００、ホール管理装置（図示せず）等に情報を送信するための外部集中端子板１２１等が入出力ポート１０４を介して接続されている。
【００６３】
液晶表示装置２００は、上述したように、遊技者に各種情報を与えるためのものであり、液晶ディスプレイ２０１と、映像出力全般の制御を担うＶＤＰ（Ｖｉｄｅｏ  Ｄｉｓｐｌａｙ  Ｐｒｏｃｅｓｓｏｒ）２０２ａや各種メモリ等の電子部品が搭載される液晶基板２０２とを備えている。サブ制御基板３００は、上述したように、上部ランプ６３やスピーカ６４の制御を行うものであり、上部ランプ６３やスピーカ６４の主たる制御を司るＭＰＵ３０１ａや各種メモリ等の電子部品が搭載されるサブ基板３０１を備えている。このサブ制御装置３００は、主制御装置１０１からの信号を受け取った上で、上部ランプ６３やスピーカ６４を独自に制御する。
【００６４】
主制御装置１０１のＭＰＵ１０２には、このＭＰＵ１０２によって実行される各種の制御プログラムや固定値データを記憶したＲＯＭ１０５、そのＲＯＭ１０５に記憶されている制御プログラムを実行するにあたって各種のデータを一時的に記憶する作業エリアを確保するためのＲＡＭ１０６、乱数を発生するフリーランカウンタ１０７が内蔵されている。また、ＭＰＵ１０２には、周知のように割込み回路を始めとしてタイマ回路、データ送受信回路などスロットマシン１０において必要な各種の処理回路や、クレジット枚数をカウントするクレジットカウンタなどの各種カウンタ（いずれも図示せず）も内蔵されている。
【００６５】
フリーランカウンタ１０７は、０〜６５５３５の乱数を短い周期で生成して更新するハードウェアによって構成されたカウンタである。ＭＰＵ１０２は、スタートレバー４１の操作をスタート検出センサ４１ａの出力信号に基づいて確認した後、ハード回路によってフリーランカウンタ１０７の値をラッチし、そのラッチした値をＲＡＭ１０６に格納する。かかる構成とすることにより、スタートレバー４１が操作されたタイミングで速やかに乱数を取得することが可能となり、同期等の問題が発生することを回避することが可能となる。尚、本スロットマシン１０のハード回路は、スタートレバー４１が操作される毎にその都度のフリーランカウンタ１０７の値をラッチする構成となっている。また、ラッチされ、ＲＡＭ１０６に格納されたフリーランカウンタの値は、スタートレバー４１の操作によって開始されるゲームの入賞態様（役）を抽選するために用いられる。
【００６６】
ＲＯＭ１０５及びＲＡＭ１０６は、記憶手段としてのメインメモリを構成するものであり、スロットマシン１０における各種処理を実行するためのプログラムは、制御プログラムの一部としてＲＯＭ１０５に記憶されている。また、ＲＯＭ１０５には、入賞態様の抽選に用いられる抽選テーブルを格納する抽選テーブル格納エリア１０５ａが設けられている。
【００６７】
ＲＡＭ１０６は、スロットマシン１０の電源が遮断された後においても電源装置９１からバックアップ電圧が供給されてデータを保持（バックアップ）できる構成となっている。また、ＲＡＭ１０６には、各種のデータを一時的に記憶するためのメモリや、役の抽選結果を記憶するための当選フラグ格納エリア１０６ａ、各リール３２Ｌ，３２Ｍ，３２Ｒの停止制御を行う場合に用いるスベリテーブルを記憶するためのスベリテーブル格納エリア１０６ｂ、ボーナス状態等の遊技状態を記憶するための状態情報格納エリア１０６ｃ等の他に、バックアップエリア（図示せず）が設けられている。
【００６８】
バックアップエリアは、停電等の発生により電源が遮断された場合において、電源遮断時（電源スイッチ７１の操作による電源遮断を含む）のスタックポインタの値を記憶しておくためのエリアであり、停電解消時（電源スイッチ７１の操作による電源投入を含む）には、バックアップエリアの情報に基づいてスロットマシン１０の状態が電源遮断前の状態に復帰できるようになっている。バックアップエリアへの書き込みは停電時処理によって電源遮断時に実行され、バックアップエリアに書き込まれた各値の復帰は電源投入時のメイン処理において実行される。
【００６９】
ＭＰＵ１０２のＮＭＩ端子（ノンマスカブル割込端子）には、停電等の発生による電源遮断時に、停電監視回路９１ｂからの停電信号が入力されるように構成されている。そして、電源遮断時には、停電フラグ生成処理としてのＮＭＩ割込み処理が即座に実行されるように構成されている。
【００７０】
次に、図９を参照して、主制御装置１０１のＭＰＵ１０２により実行される通常処理について説明する。図９は、通常処理を示すフローチャートである。
【００７１】
通常処理は、スロットマシン１０での遊技に関わる主要な制御を行う処理であり、ＭＰＵ１０２により通常処理が実行されると、まず、次回のタイマ割込みを許可する割込み許可処理を行い（Ｓ１）、次に、遊技を可能とするための開始前処理を行う（Ｓ２）。この開始前処理では、表示制御装置２０１等が初期化を終了するまで待機する。そして、表示制御装置２０１等の初期化が終了した場合には、続くＳ３〜Ｓ１３に示す遊技管理処理を行う。
【００７２】
遊技管理処理として、まず、Ｓ３の処理では、ＲＡＭ１０６に格納された各種遊技情報等のデータ（例えば前回の遊技で用いた乱数値やＢＢ入賞を除く各入賞の当選を示す各当選フラグ等）をクリアし、続くＳ４の処理では、開始待ち処理を行う。
【００７３】
Ｓ４の開始待ち処理では、前回の遊技でリプレイ入賞が成立したか否かを判定し、リプレイ入賞が成立していた場合には、前回のベット数（メダル又は仮想メダルの投入数）と同数の仮想メダルを自動投入する自動投入処理を行い、開始待ち処理を終了する。なお、自動投入処理では、クレジット表示部６０に表示された仮想メダル数を減じることなく仮想メダルの投入を行う。つまり、前回の遊技でリプレイ入賞が成立した場合には、遊技者は所有するメダルを減らすことなく且つメダルを投入することなく今回の遊技を行うことができる。
【００７４】
一方、いずれのリプレイ入賞も成立していなかった場合には、タイマ割込み処理で読み込まれたセンサの読み込み結果に異常が発生していないかを確認するセンサ異常確認処理を行い、異常が発生している場合にはスロットマシン１０をエラー状態とすると共にエラーの発生を報知する異常発生時処理を行う。かかるエラー状態は、リセットスイッチ７２が操作されるまで維持される。
【００７５】
センサの読み込み結果が正常である場合には、精算スイッチ５９が操作されたか否かを判定し、精算スイッチ５９が操作された場合には、クレジットされた仮想メダルと同数のメダルを払い出すメダル返却処理を行う。メダル返却処理の終了後又は精算スイッチ５９が操作されていない場合には、前回の開始待ち処理から今回の開始待ち処理までの間にメダルの投入又はクレジット投入スイッチ５６，５７，５８の操作がなされたか否かを判定し、いずれかが行われた場合にはメダル投入処理を行い、開始待ち処理を終了する。また、前回の開始待ち処理から今回の開始待ち処理までの間にメダルの投入又はクレジット投入スイッチ５６，５７，５８の操作のいずれもなされていない場合には、そのまま開始待ち処理を終了する。
【００７６】
Ｓ４の開始待ち処理の終了後、次いで、メダルのベット数が規定数に達しているか否かを判定し（Ｓ５）、ベット数が規定数に達していない場合には（Ｓ５：Ｎｏ）、Ｓ４の開始待ち処理に戻って、当該処理のうちセンサ異常確認処理以降の処理を行う。尚、本実施形態において、ベット数の規定数は、スロットマシン１０の遊技状態に応じて設定される。即ち、スロットマシン１０の遊技状態が一般遊技状態にある場合は規定数を１枚〜３枚に設定し、ボーナス状態にある場合は規定数を３枚に設定する。これにより、一般遊技状態ではベット数が３枚だけでなく、１枚または２枚であってもゲームを開始することができる。
【００７７】
Ｓ５の処理の結果、ベット数が規定数に達している場合には（Ｓ５：Ｙｅｓ）、次いで、開始指示があったか否か、即ち、スタートレバー４１が操作されたか否かを判定する（Ｓ６）。そして、スタートレバー４１が操作されていない場合には（Ｓ６：Ｎｏ）、ステップＳ４の開始待ち処理に戻り、当該処理のうちセンサ異常確認処理以降の処理を行う。
【００７８】
一方、スタートレバー４１が操作された場合には（Ｓ６：Ｙｅｓ）、本スロットマシン１０が規定数のメダルがベットされている状況下でスタートレバー４１が操作されると遊技を開始できる構成となっているため、遊技を開始させるべく開始指令が発生したことを意味する。そこで、かかる場合には、メダル通路切替ソレノイド４６ａを非励磁状態に切り替えてベット受付を禁止する（Ｓ７）。続くＳ８の処理では、有効ラインを設定する有効ライン設定処理を行う（Ｓ８）。そして、開始コマンドをセットする（Ｓ９）。ここで、開始コマンドとは、開始指令が発生したことを把握させるべく表示制御装置２０１及びサブ制御装置３０１に対して送信されるコマンドである。
【００７９】
その後、当選フラグ格納エリア１０６ａの値に基づく抽選処理（Ｓ１０）、スベリテーブル格納エリア１０６ｂの値に基づくリール制御処理（Ｓ１１）、遊技に当選し且つクレジットが一杯であった場合にメダルを払い出すメダル払出処理（Ｓ１２）、ボーナス状態であった場合にボーナスゲームを実行するボーナス状態処理（Ｓ１３）を順に実行し、Ｓ３の処理に戻る。
【００８０】
次に、図１０を参照して、第２実施形態について説明する。第２実施形態では、第１実施形態に対して遮蔽部２４００の構成が異なる。なお、第１実施形態と同一の部分については同一の符号を付して、その説明を省略する。
【００８１】
図１０は、第２実施形態におけるサブ制御装置２３００の正面斜視図である。なお、図１０において、矢印Ｆ−Ｂ，Ｌ−Ｒ，Ｕ−Ｄは、サブ制御装置２３００の前後方向，左右方向，上下方向をそれぞれ示している。
【００８２】
図１０に示すように、第２実施形態におけるサブ制御装置２３００は、基板ケース２３１０により外郭が形成され、その基板ケース２３１０にサブ基板３０１が収容されて構成されている。
【００８３】
基板ケース２３１０の前面には、液晶表示装置２００とサブ制御装置２３００とが対向配置された状態において、液晶ケース２１０と基板ケース２３１０との間に隙間が生じないよう、液晶ケース２１０と基板ケース２３１０との間隙を塞ぐ遮蔽部２４００が設けられている。
【００８４】
遮蔽部２４００は、基板ケース２３１０の前面から液晶ケース２１０側へ向けて突設されるリブ２３１０ａにより形成され、基板ケース２３１０と一体に形成されている。これにより、遮蔽部２４００を新たな部材として別途設ける必要がなく、部品点数の増加を抑制することができる。
【００８５】
遮蔽部２４００には、液晶表示装置２００に設けられるファン２０３（図５参照）からの排気を導くための排気経路２４０１が３つ形成されている。これにより、ファン２０３からの排気経路を確保しつつ、液晶ケース２１０と基板ケース２３１０との間隙を塞ぐことができる。
【００８６】
遮蔽部２４００を形成するリブ２３１０ａには、複数の通孔２３１０ａ１が貫通形成され、それら通孔２３１０ａ１を通じて排気経路２４０１が遮蔽部２４００の外部へ至るようになっている。
【００８７】
排気経路２４０１は、基板ケース２３１０の正面視において（液晶ケース２１０と基板ケース２３１０とが対向する方向から見て）左右（矢印Ｌ−Ｒ方向）に蛇行して形成され、複数回屈曲して遮蔽部２４００の外部へ至るように形成されている。そして、その屈曲箇所の上流側および下流側には、それぞれ通孔２３１０ａ１が設けられている。
【００８８】
即ち、リブ２３１０ａには、基板ケース２３１０の正面視において（液晶ケース２１０と基板ケース２３１０とが対向する方向から見て）左右（矢印Ｌ−Ｒ方向）交互に通孔２３１０ａ１が設けられ、排気経路２４０１は、その上流側に設けられる通孔２３１０ａ１を通じた後に屈曲して、再び下流側に設けられる通孔２３１０ａ１を通じて外部へ至るようになっている。
【００８９】
また、排気経路２４０１は、遮蔽部２４００の外部に通じる出口となる排気口２４０１ａが上方へ向けて開口形成されている。これにより、ファン２０３からの高温の排気を効率良く遮蔽部２４００の外部へ排出することができる。
【００９０】
遮蔽部２４００を形成するリブ２３１０ａは、排気経路２４０１を除いて格子状に形成され、その格子間に多数の空洞が設けられるようになっている。これにより、ファン２０３からの排気の熱エネルギーを空洞内の空気に伝達し、遮蔽部２４００の温度上昇を抑制して、液晶基板２０２及びサブ基板３０１に及ぼす悪影響を防ぎ、液晶基板２０２及びサブ基板３０１の誤作動を防止することができる。
【００９１】
このように、基板ケース２３１０には、排気経路２４０１を除いて液晶ケース２１０と基板ケース２３１０との間隙を塞ぐ遮蔽部２４００が設けられているので、第１実施形態の場合と同様に、液晶ケース２１０と基板ケース２３１０との間隙に不正な基板が隠されるのを防ぐことができる。これにより、スロットマシン１０に対する不正行為を抑制することができる。
【００９２】
また、本実施形態では、第１実施形態の効果に加え、遮蔽部２４００に形成される排気経路２４０１は、リブ２３１０ａに設けられる通孔２３１０ａ１を通じて遮蔽部２４００の外部へ至るように形成されているので、排気経路２４０１に不正な基板を隠そうとする場合には、単に排気経路２４０１に沿って不正な基板を這わせるだけでなく、通孔２３１０ａ１に不正な基板を挿し通す必要が生じる。これにより、排気経路２４０１に不正な基板を隠し難くできる。
【００９３】
また、排気経路２４０１は、屈曲して遮蔽部２４００の外部へ至るように形成され、その屈曲箇所の上流側および下流側にそれぞれ通孔２３１０ａ１が設けられているので、排気経路２４０１に不正な基板を隠そうとする場合には、屈曲した排気経路２４０１に沿って不正な基板を這わせつつ、屈曲箇所の上流側および下流側に設けられる通孔２３１０ａ１にそれぞれ不正な基板を挿し通す必要が生じる。これにより、より一層、排気経路２４０１に不正な基板を隠し難くできる。
【００９４】
次に、図１１から図１３を参照して、第３実施形態について説明する。第１実施形態では、基板ケース３１０のリブ３１０ａにより排気経路４０１が形成されたが、第３実施形態では、液晶ケース３２１０のリブ３２１０ａと基板ケース３３１０のリブ３３１０ａとにより排気経路３４０１が形成される。なお、第１実施形態と同一の部分については同一の符号を付して、その説明を省略する。
【００９５】
図１１は、第３実施形態における液晶表示装置３２００の背面斜視図であり、図１２は、第３実施形態におけるサブ制御装置３３００の正面斜視図であり、図１３は、液晶表示装置３２００とサブ制御装置３３００とが対向配置された状態の遮蔽部３４００の拡大斜視図である。なお、図１１から図１３において、矢印Ｆ−Ｂ，Ｌ−Ｒ，Ｕ−Ｄは、液晶表示装置３２００及びサブ制御装置３３００の前後方向，左右方向，上下方向をそれぞれ示している。
【００９６】
図１１に示すように、第３実施形態における液晶表示装置３２００は、液晶ケース３２１０により外郭が形成され、その液晶ケース３２１０に液晶ディスプレイ２０１（図１参照）及び液晶基板２０２（図８参照）が収容されて構成されている。液晶表示装置３２００の背面には、液晶ディスプレイ２０１や液晶基板２０２から発生する熱を排気するためのファン２０３が設けられている。
【００９７】
液晶ケース３２１０の背面には、液晶表示装置３２００に対向配置されるサブ制御装置３３００側へ向けてリブ３２１０ａが６つ突設され、それらリブ３２１０ａには、通孔３２１０ａ１がそれぞれ切欠形成されている。
【００９８】
図１２に示すように、第３実施形態におけるサブ制御装置３３００は、基板ケース３３１０により外郭が形成され、その基板ケース３３１０にサブ基板３０１が収容されて構成されている。
【００９９】
基板ケース３３１０の前面には、液晶表示装置３２００とサブ制御装置３３００とが対向配置された状態において、液晶ケース３２１０と基板ケース３３１０との間に隙間が生じないよう、液晶ケース３２１０と基板ケース３３１０との間隙を塞ぐ遮蔽部３４００が設けられている。
【０１００】
遮蔽部３４００は、基板ケース３３１０の前面から液晶ケース３２１０側へ向けて突設されるリブ３３１０ａにより形成され、基板ケース３３１０と一体に形成されている。これにより、遮蔽部３４００を新たな部材として別途設ける必要がなく、部品点数の増加を抑制することができる。
【０１０１】
遮蔽部３４００には、液晶ケース３２１０のリブ３２１０ａ（図１１参照）と対応する部位に空間３４０２が形成されている。空間３４０２は、リブ３２１０ａの長さ（図１１において矢印Ｌ−Ｒ方向の寸法）に等しく、リブ３２１０ａの幅（図１１において矢印Ｕ−Ｄ方向の寸法）よりも大きい寸法の間口を有し、リブ３２１０ａの高さ（図１１において矢印Ｆ−Ｂ方向の寸法）に等しい寸法の深さに形成され、液晶表示装置３２００とサブ制御装置３３００とが対向配置された状態では、この空間３４０２にリブ３２１０ａが嵌まり込むようになっている（図１３参照）。
【０１０２】
遮蔽部３４００を形成する基板ケース３３１０のリブ３３１０ａには、複数の通孔３３１０ａ１が貫通形成されると共に、遮蔽部３４００の外部に通じる排気口３３１０ａ２が上方へ向けて３つ開口形成されている。
【０１０３】
図１３に示すように、液晶表示装置３２００とサブ制御装置３３００とが対向配置されると、液晶ケース３２１０のリブ３２１０ａが遮蔽部３４００の空間３４０２に嵌まり込み、液晶表示装置３２００に設けられるファン２０３（図１１参照）からの排気を導くための排気経路３４０１が３つ形成される。即ち、液晶ケース３２１０のリブ３２１０ａに設けられる通孔３２１０ａ１、基板ケース３３１０のリブ３３１０ａに設けられる通孔３３１０ａ１及び排気口３３１０ａ２を通じて排気経路３４０１が遮蔽部３４００の外部へ至るようになっている。これにより、ファン２０３からの排気経路を確保しつつ、液晶ケース３２１０と基板ケース３３１０との間隙を塞ぐことができる。
【０１０４】
排気経路３４０１は、基板ケース３３１０の正面視において（液晶ケース３２１０と基板ケース３３１０とが対向する方向から見て）左右（矢印Ｌ−Ｒ方向）に蛇行して形成され、複数回屈曲して遮蔽部３４００の外部へ至るようになっている。そして、その屈曲箇所の上流側および下流側には、それぞれ通孔３２１０ａ１，３３１０ａ１が設けられている。
【０１０５】
即ち、液晶表示装置３２００とサブ制御装置３３００とが対向配置されると、基板ケース３３１０の正面視において（液晶ケース３２１０と基板ケース３３１０とが対向する方向から見て）左右（矢印Ｌ−Ｒ方向）交互に通孔３２１０ａ１，３３１０ａ１が設けられ、排気経路３４０１は、その上流側に設けられる通孔３２１０ａ１，３３１０ａ１を通じた後に屈曲して、再び下流側に設けられる通孔３２１０ａ１，３３１０ａ１を通じて外部へ至るようになっている。
【０１０６】
また、排気経路３４０１は、遮蔽部３４００の外部に通じる出口となる排気口３３１０ａ２が上方へ向けて開口形成されている。これにより、ファン２０３からの高温の排気を効率良く遮蔽部３４００の外部へ排出することができる。
【０１０７】
遮蔽部３４００を形成する基板ケース３３１０のリブ３３１０ａは、排気経路３４０１を除いて格子状に形成され、その格子間に多数の空洞が設けられるようになっている。これにより、ファン２０３からの排気の熱エネルギーを空洞内の空気に伝達し、遮蔽部３４００の温度上昇を抑制して、液晶基板２０２及びサブ基板３０１に及ぼす悪影響を防ぎ、液晶基板２０２及びサブ基板３０１の誤作動を防止することができる。
【０１０８】
このように、基板ケース３３１０には、ファン２３０からの排気経路を除いて液晶ケース３２１０と基板ケース３３１０との間隙を塞ぐ遮蔽部３４００が設けられているので、第１実施形態の場合と同様に、液晶ケース３２１０と基板ケース３３１０との間隙に不正な基板が隠されるのを防ぐことができる。これにより、スロットマシン１０に対する不正行為を抑制することができる。
【０１０９】
また、本実施形態では、第１実施形態の効果に加え、液晶ケース３２１０のリブ３２１０ａと基板ケース３３１０のリブ３３１０ａとにより排気経路３４０１が形成されているので、各ケース３２１０，３３１０を分離して排気経路３４０１に不正な基板を隠そうとする場合には、各リブ３２１０ａ，３３１０ａを避けて不正な基板を配置する必要が生じる。即ち、各リブ３２１０ａ，３３１０ａを避けて不正な基板を配置しなければ、リブ３２１０ａ及び／又はリブ３３１０ａが不正な基板に干渉して、リブ３２１０ａ及び／又はリブ３３１０ａにより不正な基板が押し潰されたり、液晶ケース３２１０と基板ケース３３１０とを正常に配置できなくなる。これにより、排気経路３４０１に不正な基板を隠し難くできる。
【０１１０】
また、遮蔽部３４００に形成される排気経路３４０１は、液晶ケース３２１０のリブ３２１０ａに設けられる通孔３２１０ａ１及び基板ケース３３１０のリブ３３１０ａに設けられる通孔３３１０ａ１を通じて遮蔽部３４００の外部へ至るように形成されているので、各ケース３２１０，３３１０を分離して排気経路４３０１に不正な基板を隠そうとする場合には、単に排気経路３４０１に沿って不正な基板を這わせるだけでなく、各リブ３２１０ａ，３３１０ａの通孔３２１０ａ１，３３１０ａ１に不正な基板を挿し通す必要が生じる。
【０１１１】
また、排気経路３４０１は、屈曲して遮蔽部３４００の外部へ至るように形成され、その屈曲箇所の上流側および下流側にそれぞれ通孔３２１０ａ１，３３１０ａ１が設けられているので、屈曲した排気経路３４０１に沿って不正な基板を這わせつつ、屈曲箇所の上流側および下流側に設けられる通孔３２１０ａ１，３３１０ａ１にそれぞれ不正な基板を挿し通す必要が生じる。これにより、より一層、排気経路３４０１に不正な基板を隠し難くできる。
【０１１２】
次に、図１４から図１６を参照して、第４実施形態について説明する。第３実施形態では、遮蔽部３４００の平面視において排気経路３４０１が左右に蛇行して形成されたが、第４実施形態では、遮蔽部４４００の平面視において排気経路４４０１が前後に蛇行して形成される。なお、第１及び第３実施形態と同一の部分については同一の符号を付して、その説明を省略する。
【０１１３】
図１４は、第４実施形態における液晶表示装置４２００の背面斜視図であり、図１５は、第４実施形態におけるサブ制御装置４３００の正面斜視図であり、図１６（ａ）は、液晶表示装置４２００とサブ制御装置４３００とが対向配置された状態の遮蔽部４４００の拡大斜視図であり、図１６（ｂ）は、図１６（ａ）のＸ−Ｘ線における遮蔽部４４００の断面図である。なお、図１４から図１６において、矢印Ｆ−Ｂ，Ｌ−Ｒ，Ｕ−Ｄは、液晶表示装置４２００及びサブ制御装置４３００の前後方向，左右方向，上下方向をそれぞれ示している。
【０１１４】
図１４に示すように、第４実施形態における液晶表示装置４２００は、液晶ケース４２１０により外郭が形成され、その液晶ケース４２１０に液晶ディスプレイ２０１（図１参照）及び液晶基板２０２（図８参照）が収容されて構成されている。液晶表示装置４２００の背面には、液晶ディスプレイ２０１や液晶基板２０２から発生する熱を排気するためのファン２０３が設けられている。
【０１１５】
液晶ケース４２１０の背面には、液晶表示装置４２００に対向配置されるサブ制御装置４３００側へ向けてリブ４２１０ａが６つ突設され、それらリブ４２１０ａには、更にサブ制御装置４３００側へ向けて突起４２１０ａ３がそれぞれ突設されている。
【０１１６】
図１５に示すように、第４実施形態におけるサブ制御装置４３００は、基板ケース４３１０により外郭が形成され、その基板ケース４３１０にサブ基板３０１が収容されて構成されている。
【０１１７】
基板ケース４３１０の前面には、液晶表示装置４２００とサブ制御装置４３００とが対向配置された状態において、液晶ケース４２１０と基板ケース４３１０との間に隙間が生じないよう、液晶ケース４２１０と基板ケース４３１０との間隙を塞ぐ遮蔽部４４００が設けられている。
【０１１８】
遮蔽部４４００は、基板ケース４３１０の前面から液晶ケース４２１０側へ向けて突設されるリブ４３１０ａにより形成され、基板ケース４３１０と一体に形成されている。これにより、遮蔽部４４００を新たな部材として別途設ける必要がなく、部品点数の増加を抑制することができる。
【０１１９】
遮蔽部４４００には、液晶ケース４２１０のリブ４２１０ａ（図１４参照）と対応する部位に空間４４０２が形成されている。空間４４０２は、リブ４２１０ａの長さ（図１４において矢印Ｌ−Ｒ方向の寸法）に等しく、リブ４２１０ａの幅（図１４において矢印Ｕ−Ｄ方向の寸法）よりも大きい寸法の間口を有し、リブ４２１０ａの高さ（図１４において矢印Ｆ−Ｂ方向の寸法）よりも大きい寸法の深さに形成され、液晶表示装置４２００とサブ制御装置４３００とが対向配置された状態では、この空間４４０２にリブ４２１０ａが嵌まり込むようになっている（図１６参照）。
【０１２０】
遮蔽部４４００を形成する基板ケース４３１０のリブ４３１０ａには、遮蔽部４４００の外部に通じる排気口４３１０ａ２が上方へ向けて３つ開口形成されている。また、空間４４０２に臨むリブ４３１０ａの一部は、他部位よりも高さ（図１５において矢印Ｆ−Ｂ方向の寸法）が一段低く形成され、それらリブ４３１０ａには、液晶ケース４２１０側へ向けて突起４３１０ａ３がそれぞれ突設されている。
【０１２１】
図１６（ａ）及び（ｂ）に示すように、液晶表示装置４２００とサブ制御装置４３００とが対向配置されると、液晶ケース４２１０のリブ４２１０ａが遮蔽部４４００の空間４４０２に嵌まり込み、液晶表示装置４２００に設けられるファン２０３（図１４参照）からの排気を導くための排気経路４４０１が３つ形成される。即ち、液晶ケース４２１０のリブ４２１０ａと基板ケース４３１０の前面との間、基板ケース４３１０のリブ４３１０ａと液晶ケース４２１０の背面との間、基板ケース４３１０のリブ４３１０ａに設けられる排気口４３１０ａ２を通じて排気経路４４０１が遮蔽部４４００の外部へ至るようになっている。これにより、ファン２０３からの排気経路を確保しつつ、液晶ケース４２１０と基板ケース４３１０との間隙を塞ぐことができる。
【０１２２】
排気経路４４０１は、基板ケース４３１０の正面視において（液晶ケース４２１０と基板ケース４３１０とが対向する方向から見て）前後（矢印Ｆ−Ｂ方向）に蛇行して形成され、複数回屈曲して遮蔽部４４００の外部へ至るようになっている。
【０１２３】
即ち、図１６（ｂ）に示すように、液晶ケース４２１０のリブ４２１０ａ及び基板ケース４３１０のリブ４３１０ａは、液晶表示装置４２００とサブ制御装置４３００とが対向配置された状態において、液晶ケース４２１０と基板ケース４３１０との対向間隔の半分よりも大きい寸法の高さ（矢印Ｆ−Ｂ方向の寸法）に形成され、排気経路４４０１は、その上流側でリブ４２１０ａ，４３１０ａと各ケース４２１０，４３１０の表面との間を通じた後に屈曲して、再び下流側でリブ４２１０ａ，４３１０ａと各ケース４２１０，４３１０の表面との間を通じて外部へ至るようになっている。
【０１２４】
また、液晶ケース４２１０のリブ４２１０ａに設けられる突起４２１０ａ３及び基板ケース４３１０のリブ４３１０ａに設けられる突起４３１０ａ３は、液晶ケース４２１０と基板ケース４３１０との対向間隔と等しい寸法の高さ（矢印Ｆ−Ｂ方向の寸法）に形成され、液晶表示装置４２００とサブ制御装置４３００とが対向配置された状態では、これら突起４２１０ａ３，４３１０ａ３により排気経路４４０１の一部が塞がれるようになっている。
【０１２５】
また、排気経路４４０１は、遮蔽部４４００の外部に通じる出口となる排気口４３１０ａ２が上方へ向けて開口形成されている。これにより、ファン２０３からの高温の排気を効率良く遮蔽部４４００の外部へ排出することができる。
【０１２６】
遮蔽部４４００を形成する基板ケース４３１０のリブ４３１０ａは、排気経路４４０１を除いて格子状に形成され、その格子間に多数の空洞が設けられるようになっている。これにより、ファン２０３からの排気の熱エネルギーを空洞内の空気に伝達し、遮蔽部４４００の温度上昇を抑制して、液晶基板２０２及びサブ基板３０１に及ぼす悪影響を防ぎ、液晶基板２０２及びサブ基板３０１の誤作動を防止することができる。
【０１２７】
このように、基板ケース４３１０には、ファン２３０からの排気経路を除いて液晶ケース４２１０と基板ケース４３１０との間隙を塞ぐ遮蔽部４４００が設けられているので、第１実施形態の場合と同様に、液晶ケース４２１０と基板ケース４３１０との間隙に不正な基板が隠されるのを防ぐことができる。これにより、スロットマシン１０に対する不正行為を抑制することができる。
【０１２８】
また、本実施形態では、第３実施形態の効果に加え、液晶ケース４２１０のリブ４２１０ａ及び基板ケース４３１０のリブ４３１０ａには、排気経路４４０１の一部を塞ぐ突起４２１０ａ３，４３１０ａ３が形成されているので、各ケース４２１０，４３１０を分離して排気経路４４０１に不正な基板を隠そうとする場合には、各突起４２１０ａ３，４３１０ａ３を避けて不正な基板を配置する必要が生じる。即ち、各突起４２１０ａ３，４３１０ａ３を避けて不正な基板を配置しなければ、突起４２１０ａ３及び／又は突起４３１０ａ３が不正な基板に干渉して、突起４２１０ａ３及び／又は突起４３１０ａ３により不正な基板が押し潰されたり、液晶ケース４２１０と基板ケース４３１０とを正常に配置できなくなる。これにより、排気経路４４０１に不正な基板を隠し難くできる。
【０１２９】
以上、実施形態に基づき本発明を説明したが、本発明は上記実施形態に何ら限定されるものではなく、本発明の趣旨を逸脱しない範囲内で種々の変形改良が可能であることは容易に推察できるものである。
【０１３０】
上記実施形態で挙げた数値は一例であり、他の数値を採用することは当然可能である。例えば、上記実施形態では、排気経路４０１，２４０１，３４０１，４４０１が遮蔽部４００，２４００，３４００，４４００に３つずつ形成される場合を説明したが、必ずしもこれに限られるものではなく、１つ又は２つ、或いは、４つ以上形成しても良い。また、４つ以上形成する場合には、各排気経路の断面積を更に小さくすることができるので、より一層、不正な基板を隠し難くできる。
【０１３１】
上記実施形態では、液晶基板２０２を収容する液晶ケース２１０，３２１０，４２１０とサブ基板３０１を収容する基板ケース３１０，２３１０，３３１０，４３１０とに本発明を適用する場合を説明したが、必ずしもこれに限られるものではなく、例えば、主基板や他の制御基板を収容する部材に本発明を適用することは当然可能である。また、制御基板を収容する部材に限られず、制御基板を収容するものではない他の部材に本発明を適用することは当然可能である。即ち、例えば不透明な部材など、死角ができてしまう部材であれば、どのような部材に本発明を適用しても良い。
【０１３２】
上記実施形態では、基板ケース３１０，２３１０，３３１０，４３１０に遮蔽部４００，２４００，３４００，４４００が設けられる場合を説明したが、必ずしもこれに限られるものではなく、液晶ケース２１０，３２１０，４２１０に遮蔽部４００，２４００，３４００，４４００に相当する構成を設けても良く、或いは、基板ケース３１０，２３１０，３３１０，４３１０と液晶ケース２１０，３２１０，４２１０との両方を組み合わせて遮蔽部４００，２４００，３４００，４４００に相当する構成を設けても良い。また、基板ケース３１０，２３１０，３３１０，４３１０や液晶ケース２１０，３２１０，４２１０とは別体に遮蔽部４００，２４００，３４００，４４００に相当するスペーサ等の別部材を設けても良い。
【０１３３】
上記実施形態では、遮蔽部４００，２４００，３４００，４４００に排気経路４０１，２４０１，３４０１，４４０１が形成される場合を説明したが、必ずしもこれに限られるものではなく、基板ケース３１０，２３１０，３３１０，４３１０自体または液晶ケース２１０，３２１０，４２１０自体の少なくとも一方に排気経路４０１，２４０１，３４０１，４４０１に相当する構成を形成しても良い。
【０１３４】
上記実施形態では、遮蔽部４００，２４００，３４００，４４００を形成するリブ３１０ａ，２３１０ａ，３３１０ａ，４３１０ａが排気経路４０１，２４０１，３４０１，４４０１を除いて格子状に形成される場合を説明したが、必ずしもこれに限られるものではなく、例えば、排気経路４０１，２４０１，３４０１，４４０１を除いて基板ケース３１０，２３１０，３３１０，４３１０の前面を覆う平面状に形成しても良い。
【０１３５】
上記実施形態では、排気経路４０１，２４０１，３４０１，４４０１が屈曲して形成される場合を説明したが、必ずしもこれに限られるものではなく、直線部分の少ない形状、例えば、渦巻状に形成しても良い。この場合でも、排気経路に不正な基板を隠し難くできる。
【０１３６】
上記第１及び第２実施形態では、排気経路４０１，２４０１が遮蔽部４００，２４００の平面視において左右に蛇行して形成される場合を説明したが、必ずしもこれに限られるものではなく、遮蔽部４００，２４００の平面視において前後に蛇行するように形成しても良く、或いは、左右と前後の蛇行を組み合わせて形成しても良い。
【０１３７】
上記第４実施形態では、液晶ケース４２１０のリブ４２１０ａに設けられる突起４２１０ａ３及び基板ケース４３１０のリブ４３１０ａに設けられる突起４３１０ａ３の両方により排気経路４４０１の一部が塞がれる場合を説明したが、必ずしもこれに限られるものではなく、突起４２１０ａ３又は突起４３１０ａ３のいずれか一方のみにより排気経路４４０１の一部を塞いでも良く、或いは、突起４２１０ａ３，突起４３１０ａ３に相当する構成をリブ４２１０ａ，４３１０ａ以外の部位に設けても良い。
【０１３８】
上記実施形態では、ファン２０３が液晶表示装置２００内に設けられる場合を説明したが、必ずしもこれに限られるものではなく、例えば、液晶表示装置２００とは別体にサブ制御装置３００との間にファン２０３を設けても良い。
【０１３９】
上記実施形態では、本発明をスロットマシン１０について具体化した例を示したが、スロットマシンとパチンコ機とを融合した形式の遊技機に適用しても良い。即ち、スロットマシンのうち、メダル投入およびメダル払出機能に代えて、パチンコ機のような球投入および球払出機能を持たせた遊技機としても良い。かかる遊技機をスロットマシンに代えて使用すれば、遊技ホールでは、球のみを遊技価値として取り扱うことができるため、パチンコ機とスロットマシンとが混在している現在の遊技ホールにおける、遊技価値たるメダルと球との別個の取り扱いによる設備上の負担や遊技機設置場所の制約といった問題を解消し得る。
【０１４０】
また、本発明をパチンコ機に適用することも可能である。パチンコ機の場合、外枠に遊技機本体が装着されるとともに、遊技機本体の前面側に扉部材が設けられる。遊技機本体には、遊技球飛翔領域としての遊技領域が形成されるとともに作動口や液晶表示装置などが設置された遊技盤が搭載され、扉部材に設けられた視認窓により、遊技領域や液晶表示装置が視認可能となっている。そして、遊技球発射装置により発射された遊技球が作動口に入賞することに伴い、内部抽選が行われると共に液晶表示装置上にて絵柄の可変表示が行われる。かかるパチンコ機に上記実施形態の表示制御装置とサブ制御装置との構成を適用した場合であっても、上記実施形態と同様の作用効果を奏することは明らかである。
【０１４１】
更に、パチンコ機以外にも、アレパチ、雀球、スロットマシン、いわゆるパチンコ機とスロットマシンとが融合した遊技機などの各種遊技機として実施するようにしても良い。
【０１４２】
パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。
【０１４３】
以下に、本発明の遊技機に加えて、上記実施形態に含まれる各種発明の概念を示す。
【０１４４】
電子部品が搭載される第１基板を収容する第１部材と、その第１部材に対向配置される第２部材と、前記第１基板から発生する熱を前記第２部材側に排気する排気手段と、その排気手段からの排気を前記第１部材と前記第２部材との間を通過させる排気経路が形成されると共にその排気経路を除いて前記第１部材と前記第２部材との間隙を塞ぐ遮蔽部とを備えていることを特徴とする遊技機Ａ１。
【０１４５】
遊技機Ａ１によれば、排気手段からの排気を第１部材と第２部材との間を通過させる排気経路が形成されると共にその排気経路を除いて第１部材と第２部材との間隙を塞ぐ遮蔽部を備えているので、排気手段からの排気経路を確保しつつ、第１部材と第２部材との間隙を塞ぐことができる。この場合、遮蔽部により第１部材と第２部材との間隙を塞ぐことで、第１部材と第２部材との間隙に不正な基板が隠されるのを防ぐことができる。
【０１４６】
即ち、第１部材体と第２部材とを対向配置する場合には、排気手段からの排気経路を確保するために、第１部材と第２部材との間に隙間を設ける必要がある。しかしながら、各部材間に隙間を設けると、その隙間が死角となり、不当に大当たりを発生させる不正な基板を隠される隠し場所となる恐れがあった。
【０１４７】
これに対し、排気手段からの排気経路を除いて第１部材と第２部材との間隙を塞ぐ遮蔽部を備えることで、排気手段からの排気経路を確保しつつも、第１部材と第２部材との間隙に不正な基板が隠されるのを防ぐことができる。これにより、遊技機に対する不正行為を抑制することができる。
【０１４８】
遊技機Ａ１において、前記第２部材は、電子部品が搭載される第２基板を収容するものであることを特徴とする遊技機Ａ２。
【０１４９】
遊技機Ａ２によれば、第２部材は、電子部品が搭載される制御基板を収容するものであるので、第１部材と第２部材とを対向配置することで、それら第１部材および第２部材に収容される第１基板と第２基板とを接続するための電気配線を簡素化することができると共に、遊技機本体内部のスペース確保を図ることができる。
【０１５０】
遊技機Ａ２において、前記第２基板は、前記電子部品が搭載される搭載面の反対面が前記遮蔽部側を向くように前記第２部材に収容されていることを特徴とする遊技機Ａ３。
【０１５１】
遊技機Ａ３によれば、第２基板は、電子部品が搭載される搭載面の反対面が遮蔽部側を向くように第２部材に収容されているので、電子部品の搭載面が遮蔽部に覆われず、第２部材の外部から電子部品の搭載面を視認可能とすることができる。これにより、第２基板に対する不正行為（例えば、不当に大当たりを発生させる不正なＲＯＭを電子部品の搭載面に取り付ける等）を抑制できると共に、その不正を見落とすことなく早期に発見することができる。
【０１５２】
遊技機Ａ１からＡ３のいずれかにおいて、前記排気経路は、屈曲して前記遮蔽部の外部へ至るように形成されていることを特徴とする遊技機Ａ４。
【０１５３】
遊技機Ａ４によれば、排気経路は、屈曲して遮蔽部の外部へ至るように形成されているので、排気経路に不正な基板を隠し難くできる。また、排気経路が屈曲していることで、排気経路および排気手段を通じて第１部材の内部に針金などの線材が差し込まれるのを防ぐことができる。これにより、第１基板に対する不正行為（例えば、線材により第１基板の配線パターンを切断する等）を抑制することができる。
【０１５４】
遊技機Ａ４において、前記排気経路は、前記第１部材と前記第２部材とが対向する方向から見て左右または前後に蛇行して形成され、複数回屈曲して遮蔽部の外部へ至るように形成されていることを特徴とする遊技機Ａ５。
【０１５５】
遊技機Ａ５によれば、排気経路は、複数回屈曲して遮蔽部の外部へ至るように形成されているので、より一層、排気経路に不正な基板を隠し難くできる。また、第１部材と第２部材とが対向する方向から見て排気経路を左右に蛇行する形状とする場合には、第1部材と第２部材との間隙を小さくして不正な基板を隠し難くできつつも、前後に蛇行する形状とする場合と同等の排気経路の断面積を確保することができる。
【０１５６】
遊技機Ａ１からＡ５のいずれかにおいて、前記排気経路は、前記遮蔽部に複数形成されていることを特徴とする遊技機Ａ６。
【０１５７】
遊技機Ａ６によれば、排気経路は、遮蔽部に複数形成されているので、排気手段からの排気を導くために確保すべき排気経路の断面積を、複数の排気経路により分担して確保することができる。これにより、各排気経路の断面積を小さくすることができるので、例え不正な基板が柔軟性のあるフレキシブルプリント基板により製作されたとしても、排気経路に隠し難くできる。
【０１５８】
遊技機Ａ１からＡ６のいずれかにおいて、前記排気経路は、前記遮蔽部の外部に通じる出口が上方へ向けて開口形成されていることを特徴とする遊技機Ａ７。
【０１５９】
遊技機Ａ７によれば、排気経路は、遮蔽部の外部に通じる出口が上方へ向けて開口形成されているので、温度が高くなるほど軽くなる気体の性質を利用して、排気手段からの高温の排気を効率良く外部へ排出することができる。
【０１６０】
遊技機Ａ７において、前記第１部材および前記第２部材を収容すると共に遊技機本体の外郭を形成する筺体を備え、その筺体には、その筺体の内部から外部に通じる開口が前記排気経路の出口に臨む位置に設けられていることを特徴とする遊技機Ａ８。
【０１６１】
遊技機Ａ８によれば、第１部材および第２部材を収容すると共に遊技機本体の外郭を形成する筺体には、その筺体の内部から外部に通じる開口が排気経路の出口に臨む位置に設けられているので、排気手段からの排気を効率良く遊技機本体の外部へ排出することができる。
【０１６２】
遊技機Ａ１からＡ８のいずれかにおいて、前記第１部材または前記第２部材の少なくとも一方には、相対向する前記第１部材または前記第２部材側へ向けてリブが突設され、そのリブにより前記遮蔽部が形成されていることを特徴とする遊技機Ａ９。
【０１６３】
遊技機Ａ９によれば、遮蔽部は、第１部材または第２部材の少なくとも一方に突設されるリブにより形成されているので、遮蔽部を第１部材または第２部材と一体に形成することができる。これにより、遮蔽部を新たな部材として別途設ける必要がなく、部品点数の増加を抑制することができる。また、第１部材または第２部材に突設されるリブにより遮蔽部を形成することで、リブが突設される第１部材または第２部材の剛性を高めることができる。
【０１６４】
遊技機Ａ９において、前記リブには通孔が貫通形成され、前記排気経路は、前記通孔を通じて前記遮蔽部の外部へ至るように形成されていることを特徴とする遊技機Ａ１０。
【０１６５】
遊技機Ａ１０によれば、排気経路は、リブに貫通形成される通孔を通じて遮蔽部の外部へ至るように形成されているので、排気経路に不正な基板を隠そうとする場合には、単に排気経路に沿って不正な基板を這わせるだけでなく、通孔に不正な基板を挿し通す必要が生じる。これにより、排気経路に不正な基板を隠し難くできる。
【０１６６】
遊技機Ａ１０において、前記排気経路は、屈曲して前記遮蔽部の外部へ至るように形成され、その屈曲箇所の上流側および下流側にそれぞれ前記通孔が設けられていることを特徴とする遊技機Ａ１１。
【０１６７】
遊技機Ａ１１によれば、排気経路は、屈曲して遮蔽部の外部へ至るように形成され、その屈曲箇所の上流側および下流側にそれぞれ通孔が設けられているので、排気経路に不正な基板を隠そうとする場合には、屈曲した排気経路に沿って不正な基板を這わせつつ、屈曲箇所の上流側および下流側に設けられる通孔にそれぞれ不正な基板を隠し通す必要が生じる。これにより、より一層、排気経路に不正な基板を隠し難くできる。
【０１６８】
電子部品が搭載される第１基板を収容する第１部材と、その第１部材に対向配置される第２部材と、前記第１基板から発生する熱を前記第２部材側に排気する排気手段とを備え、その排気手段からの排気を前記第１部材と前記第２部材との間を通過させる排気経路が、前記第１部材または前記第２部材の少なくとも一方により形成されていることを特徴とする遊技機Ａ１２。
【０１６９】
遊技機Ａ１２によれば、排気手段からの排気を第１部材と第２部材との間を通過させる排気経路が、第１部材または第２部材の少なくとも一方により形成されているので、排気手段からの排気経路を確保しつつ、第１部材と第２部材との間隙を塞ぐことができる。この場合、第１部材と第２部材との間隙を塞ぐことで、第１部材と第２部材との間隙に不正な基板が隠されるのを防ぐことができる。
【０１７０】
即ち、第１部材体と第２部材とを対向配置する場合には、排気手段からの排気経路を確保するために、第１部材と第２部材との間に隙間を設ける必要がある。しかしながら、各部材間に隙間を設けると、その隙間が死角となり、不当に大当たりを発生させる不正な基板を隠される隠し場所となる恐れがあった。
【０１７１】
これに対し、排気経路を除いて第１部材と第２部材との間隙を塞ぐことで、排気手段からの排気経路を確保しつつも、第１部材と第２部材との間隙に不正な基板が隠されるのを防ぐことができる。これにより、遊技機に対する不正行為を抑制することができる。
【０１７２】
電子部品が搭載される第１基板を収容する第１部材と、その第１部材に対向配置される第２部材と、前記第１基板から発生する熱を前記第２部材側に排気する排気手段と、その排気手段からの排気を前記第１部材と前記第２部材との間を通過させる排気経路が形成されると共にその排気経路を除いて前記第部材と前記第２部材との間隙を塞ぐ遮蔽部とを備え、前記第１部材には、前記第部材側へ向けて第１リブが突設されると共に、前記第２部材には、前記第１部材側へ向けて第２リブが突設され、前記第１リブと前記第２リブとにより前記排気経路が形成されていることを特徴とする遊技機Ｂ１。
【０１７３】
遊技機Ｂ１によれば、排気手段からの排気を第１部材と第２部材との間を通過させる排気経路が形成されると共にその排気経路を除いて第１部材と第２部材との間隙を塞ぐ遮蔽部を備えているので、排気手段からの排気経路を確保しつつ、第１部材と第２部材との間隙を塞ぐことができる。この場合、遮蔽部により第１部材と第２部材との間隙を塞ぐことで、第１部材と第２部材との間隙に不正な基板が隠されるのを防ぐことができる。
【０１７４】
即ち、第１部材と第２部材とを対向配置する場合には、排気手段からの排気経路を確保するために、第１部材と第２部材との間に隙間を設ける必要がある。しかしながら、各部材間に隙間を設けると、その隙間が死角となり、不当に大当たりを発生させる不正な基板を隠される隠し場所となる恐れがあった。
【０１７５】
これに対し、排気手段からの排気経路を除いて第１部材と第２部材との間隙を塞ぐ遮蔽部を備えることで、排気手段からの排気経路を確保しつつも、第１部材と第２部材との間隙に不正な基板が隠されるのを防ぐことができる。これにより、遊技機に対する不正行為を抑制することができる。
【０１７６】
また、遊技機Ｂ１によれば、第１部材に突設される第１リブと第２部材に突設される第２リブとにより排気経路が形成されているので、各部材を分離して排気経路に不正な基板を隠そうとする場合には、各リブを避けて不正な基板を配置する必要が生じる。即ち、各リブを避けて不正な基板を配置しなければ、第１リブ及び／又は第２リブが不正な基板に干渉して、第１リブ及び／又は第２リブにより不正な基板が押し潰されたり、第１部材と第２部材とを正常に配置できなくなる。これにより、排気経路に不正な基板を隠し難くできる。
【０１７７】
遊技機Ｂ１において、前記第２部材は、電子部品が搭載される第２基板を収容するものであることを特徴とする遊技機Ｂ２。
【０１７８】
遊技機Ｂ２によれば、第２部材は、電子部品が搭載される制御基板を収容するものであるので、第１部材と第２部材とを対向配置することで、それら第１部材および第２部材に収容される第１基板と第２基板とを接続するための電気配線を簡素化することができると共に、遊技機本体内部のスペース確保を図ることができる。
【０１７９】
遊技機Ｂ２において、前記第２基板は、前記電子部品が搭載される搭載面の反対面が前記遮蔽部側を向くように前記第２部材に収容されていることを特徴とする遊技機Ｂ３。
【０１８０】
遊技機Ｂ３によれば、第２基板は、電子部品が搭載される搭載面の反対面が遮蔽部側を向くように第２部材に収容されているので、電子部品の搭載面が遮蔽部に覆われず、第２部材の外部から電子部品の搭載面を視認可能とすることができる。これにより、第２基板に対する不正行為（例えば、不当に大当たりを発生させる不正なＲＯＭを電子部品の搭載面に取り付ける等）を抑制できると共に、その不正を見落とすことなく早期に発見することができる。
【０１８１】
遊技機Ｂ１からＢ３のいずれかにおいて、前記排気経路は、屈曲して前記遮蔽部の外部へ至るように形成されていることを特徴とする遊技機Ｂ４。
【０１８２】
遊技機Ｂ４によれば、排気経路は、屈曲して遮蔽部の外部へ至るように形成されているので、排気経路に不正な基板を隠し難くできる。また、排気経路が屈曲していることで、排気経路および排気手段を通じて第１部材の内部に針金などの線材が差し込まれるのを防ぐことができる。これにより、第１基板に対する不正行為（例えば、線材により第１基板の配線パターンを切断する等）を抑制することができる。
【０１８３】
遊技機Ｂ４において、前記排気経路は、前記第１部材と前記第２部材とが対向する方向から見て左右または前後に蛇行して形成され、複数回屈曲して遮蔽部の外部へ至るように形成されていることを特徴とする遊技機Ｂ５。
【０１８４】
遊技機Ｂ５によれば、排気経路は、複数回屈曲して遮蔽部の外部へ至るように形成されているので、より一層、排気経路に不正な基板を隠し難くできる。また、第１部材と第２部材とが対向する方向から見て排気経路を左右に蛇行する形状とする場合には、第１部材と第２部材との間隙を小さくして不正な基板を隠し難くできつつも、前後に蛇行する形状とする場合と同等の排気経路の断面積を確保することができる。
【０１８５】
遊技機Ｂ１からＢ５のいずれかにおいて、前記排気経路は、前記遮蔽部に複数形成されていることを特徴とする遊技機Ｂ６。
【０１８６】
遊技機Ｂ６によれば、排気経路は、遮蔽部に複数形成されているので、排気手段からの排気を導くために確保すべき排気経路の断面積を、複数の排気経路により分担して確保することができる。これにより、各排気経路の断面積を小さくすることができるので、例え不正な基板が柔軟性のあるフレキシブルプリント基板により製作されたとしても、排気経路に隠し難くできる。
【０１８７】
遊技機Ｂ１からＢ６のいずれかにおいて、前記排気経路は、前記遮蔽部の外部に通じる出口が上方へ向けて開口形成されていることを特徴とする遊技機Ｂ７。
【０１８８】
遊技機Ｂ７によれば、排気経路は、遮蔽部の外部に通じる出口が上方へ向けて開口形成されているので、温度が高くなるほど軽くなる気体の性質を利用して、排気手段からの高温の排気を効率良く外部へ排出することができる。
【０１８９】
遊技機Ｂ７において、前記第１部材および前記第２部材を収容すると共に遊技機本体の外郭を形成する筺体を備え、その筺体には、その筺体の内部から外部に通じる開口が前記排気経路の出口に臨む位置に設けられていることを特徴とする遊技機Ｂ８。
【０１９０】
遊技機Ｂ８によれば、第１部材および第２部材を収容すると共に遊技機本体の外郭を形成する筺体には、その筺体の内部から外部に通じる開口が排気経路の出口に臨む位置に設けられているので、排気手段からの排気を効率良く遊技機本体の外部へ排出することができる。
【０１９１】
遊技機Ｂ１からＢ８のいずれかにおいて、前記第１リブ及び前記第２リブには通孔がそれぞれ貫通形成され、前記排気経路は、前記通孔を通じて前記遮蔽部の外部へ至るように形成されていることを特徴とする遊技機Ｂ９。
【０１９２】
遊技機Ｂ９によれば、排気経路は、第１リブ及び第２リブにそれぞれ貫通形成される通孔を通じて遮蔽部の外部へ至るように形成されているので、排気経路に不正な基板を隠そうとする場合には、単に排気経路に沿って不正な基板を這わせるだけでなく、各リブの通孔に不正な基板を挿し通す必要が生じる。これにより、排気経路に不正な基板を隠し難くできる。
【０１９３】
遊技機Ｂ９において、前記排気経路は、屈曲して前記遮蔽部の外部へ至るように形成され、その屈曲箇所の上流側および下流側にそれぞれ前記通孔が設けられていることを特徴とする遊技機Ｂ１０。
【０１９４】
遊技機Ｂ１０によれば、排気経路は、屈曲して遮蔽部の外部へ至るように形成され、その屈曲箇所の上流側および下流側にそれぞれ通孔が設けられているので、排気経路に不正な基板を隠そうとする場合には、屈曲した排気経路に沿って不正な基板を這わせつつ、屈曲箇所の上流側および下流側に設けられる通孔にそれぞれ不正な基板を隠し通す必要が生じる。これにより、より一層、排気経路に不正な基板を隠し難くできる。
【０１９５】
遊技機Ｂ１からＢ１０のいずれかにおいて、前記第１リブ又は前記第２リブの少なくとも一方には、前記排気経路の一部を塞ぐ突起が突設されていることを特徴とする遊技機Ｂ１１。
【０１９６】
遊技機Ｂ１１によれば、第１リブ又は第２リブの少なくとも一方には、排気経路の一部を塞ぐ突起が突設されているので、第１部材と第２部材とを分離して排気経路に不正な基板を隠そうとする場合には、突起を避けて不正な基板を配置する必要が生じる。即ち、突起を避けて不正な基板を配置しなければ、突起が不正な基板に干渉して、突起により不正な基板が押し潰されたり、第１部材と第２部材とを正常に配置できなくなる。これにより、排気経路に不正な基板を隠し難くできる。
【０１９７】
遊技機Ａ１からＡ１２、Ｂ１からＢ１１のいずれかにおいて、前記遊技機はスロットマシンであることを特徴とする遊技機Ｃ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１９８】
遊技機Ａ１からＡ１２、Ｂ１からＢ１１のいずれかにおいて、前記遊技機はパチンコ遊技機であることを特徴とする遊技機Ｃ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１９９】
遊技機Ａ１からＡ１２、Ｂ１からＢ１１のいずれかにおいて、前記遊技機はパチンコ遊技機とスロットマシンとを融合させたものであることを特徴とする遊技機Ｃ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０２００】
１０              スロットマシン（遊技機）
１１              筺体
１１ａ            開口
２０２            液晶基板（第１基板）
２０３            ファン（排気手段）
２１０            液晶ケース（第１部材）
３０１            サブ基板（第２基板）
３１０            基板ケース（第２部材）
３１０ａ          リブ
３１１            ベース部材（基板ケースの一部、第２部材の一部）
３１２            カバー部材（基板ケースの一部、第２部材の一部）
４００            遮蔽部
４０１            排気経路
４０１ａ          排気口（排気経路の出口）
２３１０          基板ケース（第２部材）
２３１０ａ        リブ
２３１０ａ１      通孔
２４００          遮蔽部
２４０１          排気経路
２４０１ａ        排気口（排気経路の出口）
３２１０          液晶ケース（第１部材）
３２１０ａ        リブ（第１リブ）
３２１０ａ１      通孔
３３１０          基板ケース（第２部材）
３３１０ａ        リブ（第２リブ）
３３１０ａ１      通孔
３３１０ａ２      排気口（排気経路の出口）
３４００          遮蔽部
３４０１          排気経路
４２１０          液晶ケース（第１部材）
４２１０ａ        リブ（第１リブ）
４２１０ａ３      突起
４３１０          基板ケース（第２部材）
４３１０ａ        リブ（第２リブ）
４３１０ａ２      排気口（排気経路の出口）
４３１０ａ３      突起
４４００          遮蔽部
４４０１          排気経路
【図１】
0005568966.tif 000002
【図２】
0005568966.tif 000003
【図３】
0005568966.tif 000004
【図４】
0005568966.tif 000005
【図５】
0005568966.tif 000006
【図６】
0005568966.tif 000007
【図７】
0005568966.tif 000008
【図８】
0005568966.tif 000009
【図９】
0005568966.tif 000010
【図１０】
0005568966.tif 000011
【図１１】
0005568966.tif 000012
【図１２】
0005568966.tif 000013
【図１３】
0005568966.tif 000014
【図１４】
0005568966.tif 000015
【図１５】
0005568966.tif 000016
【図１６】
0005568966.tif 000017